(57)【要約】【課題】従来の冷風扇では、吹出口から吹き出される空気の湿度が高くなりすぎて、爽快感が得られにくいという問題がある。【解決手段】冷風扇１は、吸込口２１、第１吹出口２２、および第２吹出口２３を有するケーシング２と、ケーシング２内に配置された送風ファン３と、吸込口２１と第１吹出口２２とを連通し、送風ファン３によって発生した空気流を第１吹出口２２に導く第１流路５と、吸込口２１と第２吹出口２３とを連通し、送風ファン３によって発生した空気流を第２吹出口２３に導く第２流路６と、第２流路６に配置され、水の気化熱により第２流路６を流れる空気を冷却する気化ユニット７（気化手段）とを備えている。そして、この冷風扇１には、第２流路６の気化ユニット７によって冷却された空気流と第１流路５を流れる空気流との間で熱交換を行う顕熱交換器８（熱交換器）が設けられている。【選択図】図３
2014092338.tif 000002
【特許請求の範囲】
【請求項１】
吸込口、第１吹出口、および第２吹出口を有するケーシングと、
前記ケーシング内に配置された送風手段と、
前記吸込口と前記第１吹出口とを連通し、前記送風手段によって発生した空気流を前記第１吹出口に導く第１流路と、
前記吸込口と前記第２吹出口とを連通し、前記送風手段によって発生した空気流を前記第２吹出口に導く第２流路と、
前記第２流路に配置され、水の気化熱により前記第２流路を流れる空気を冷却する気化手段とを備え、
前記第２流路の前記気化手段によって冷却された空気流と前記第１流路を流れる空気流との間で熱交換を行う熱交換器が設けられていることを特徴とする冷風扇。
【請求項２】
前記第１吹出口が前記ケーシングの前面に設けられていることを特徴とする請求項１に記載の冷風扇。
【請求項３】
前記第１吹出口と前記吸込口が前記ケーシングの同じ面に設けられていることを特徴とする請求項１又は２に記載の冷風扇。
【請求項４】
前記第２吹出口が前記ケーシングの背面に設けられていることを特徴とする請求項１〜３のいずれか１項に記載の冷風扇。
【請求項５】
前記第１流路を流れる空気流と前記第２流路を流れる空気流との分配量を調整する分配量調整手段が設けられていることを特徴とする請求項１〜４のいずれか１項に記載の冷風扇。
【請求項６】
前記第２吹出口から吹き出される空気を排気するためのダクトを備えていることを特徴とする請求項１〜５のいずれか１項に記載の冷風扇。
【発明の詳細な説明】
【技術分野】
【０００１】
本発明は、水の気化熱を利用して冷風を得る冷風扇に関する。
【背景技術】
【０００２】
従来の冷風扇としては、吸込口および吹出口を有するケーシングと、ファンと、気化フィルタとを備えたものがある。吸込口から吸い込まれた吸込空気は、気化フィルタを通過する際に水の気化熱によって冷却および加湿される。その結果、吸込空気よりも低温の空気が吹出口から吹き出されるようになっている。
【先行技術文献】
【特許文献】
【０００３】
【特許文献１】特開昭６１−６６０２７号公報
【発明の概要】
【発明が解決しようとする課題】
【０００４】
しかしながら、上記の冷風扇から吹き出される吹出空気は、吸込空気よりも温度は低いが湿度は高くなるため、例えば、高温・多湿の夏場においては、吹出空気の湿度が高くなりすぎて、爽快感が得られにくいという問題がある。
【０００５】
そこで、本発明の目的は、吸込口から吸い込まれる空気よりも低温で、かつ湿度の上昇を抑えた空気を吹き出すことができる冷風扇を提供することである。
【課題を解決するための手段】
【０００６】
第１の発明にかかる冷風扇は、吸込口、第１吹出口、および第２吹出口を有するケーシングと、前記ケーシング内に配置された送風手段と、前記吸込口と前記第１吹出口とを連通し、前記送風手段によって発生した空気流を前記第１吹出口に導く第１流路と、前記吸込口と前記第２吹出口とを連通し、前記送風手段によって発生した空気流を前記第２吹出口に導く第２流路と、前記第２流路に配置され、水の気化熱により前記第２流路を流れる空気を冷却する気化手段とを備え、前記第２流路の前記気化手段によって冷却された空気流と前記第１流路を流れる空気流との間で熱交換を行う熱交換器が設けられていることを特徴とする。
【０００７】
この冷風扇では、第２流路を流れ、気化手段によって冷却された空気流と第１流路を流れる空気流との間で熱交換を行う熱交換器が設けられているので、第１流路を流れる空気流が、第２流路を流れ、水の気化熱により冷却および加湿された空気流と熱交換されて、第１吹出口から吹き出される。そのため、吸込口から吸い込まれる空気よりも低温で、かつ気化手段によって冷却された空気流よりも湿度が低い空気流を第１吹出口から得ることができる。したがって、吸込口から吸い込まれる空気よりも低温で、かつ湿度の上昇を抑えた空気を吹き出すことができる。
【０００８】
第２の発明にかかる冷風扇では、第１の発明にかかる冷風扇において、前記第１吹出口が前記ケーシングの前面に設けられていることを特徴とする。
【０００９】
この冷風扇では、第１吹出口がケーシングの前面に設けられているので、吸込口から吸い込まれる空気よりも低温で、かつ湿度の上昇を抑えた空気を使用者側に吹き出すことができる。
【００１０】
第３の発明にかかる冷風扇では、第１または第２の発明にかかる冷風扇において、前記第１吹出口と前記吸込口が前記ケーシングの同じ面に設けられていることを特徴とする。
【００１１】
この冷風扇では、第１吹出口と吸込口がケーシングの同じ面に設けられているので、使用者が第１吹出口のすぐ前方に存在する場合において、第１吹出口から吹き出された空気が使用者に当たってすぐに吸込口から吸い込まれ、また第１吹出口から吹き出されるという操作が繰り返される。その結果、空気の冷却が進み、より低温の空気を第１吹出口から吹き出すことができる。
【００１２】
第４の発明にかかる冷風扇では、第１〜第３のいずれかの発明にかかる冷風扇において、前記第２吹出口が前記ケーシングの背面に設けられていることを特徴とする。
【００１３】
この冷風扇では、第２吹出口がケーシングの背面に設けられているので、気化フィルタおよび熱交換器を通過した高湿の空気を使用者と反対側に吹き出すことができる。
【００１４】
第５の発明にかかる冷風扇では、第１〜第４のいずれかの発明にかかる冷風扇において、前記第１流路を流れる空気流と前記第２流路を流れる空気流との分配量を調整する分配量調整手段が設けられていることを特徴とする。
【００１５】
この冷風扇では、第１流路を流れる空気流と第２流路を流れる空気流との分配量を調整できるので、第１吹出口から吹き出される空気の温度や湿度、あるいは第１吹出口から吹き出される空気の風量を、使用者がより爽快感が得られる条件に調整できる。
【００１６】
第６の発明にかかる冷風扇では、第１〜第５のいずれかの発明にかかる冷風扇において、前記第２吹出口から吹き出される空気を排気するためのダクトを備えていることを特徴とする。
【００１７】
この冷風扇では、第２吹出口から吹き出される空気を排気するためのダクトを備えているので、気化フィルタおよび熱交換器を通過した高湿の空気を排気できる。
【発明の効果】
【００１８】
以上の説明に述べたように、本発明によれば、以下の効果が得られる。
【００１９】
第１の発明では、第２流路を流れ、気化手段によって冷却された空気流と第１流路を流れる空気流との間で熱交換を行う熱交換器が設けられているので、第１流路を流れる空気流が、第２流路を流れ、水の気化熱により冷却および加湿された空気流と熱交換されて、第１吹出口から吹き出される。そのため、吸込口から吸い込まれる空気よりも低温で、かつ気化手段によって冷却された空気流よりも湿度が低い空気流を第１吹出口から得ることができる。したがって、吸込口から吸い込まれる空気よりも低温で、かつ湿度の上昇を抑えた空気を吹き出すことができる。
【００２０】
第２の発明では、第１吹出口がケーシングの前面に設けられているので、吸込口から吸い込まれる空気よりも低温で、かつ湿度の上昇を抑えた空気を使用者側に吹き出すことができる。
【００２１】
第３の発明では、第１吹出口と吸込口がケーシングの同じ面に設けられているので、使用者が第１吹出口のすぐ前方に存在する場合において、第１吹出口から吹き出された空気が使用者に当たってすぐに吸込口から吸い込まれ、また第１吹出口から吹き出されるという操作が繰り返される。その結果、空気の冷却が進み、より低温の空気を第１吹出口から吹き出すことができる。
【００２２】
第４の発明では、第２吹出口がケーシングの背面に設けられているので、気化フィルタおよび熱交換器を通過した高湿の空気を使用者と反対側に吹き出すことができる。
【００２３】
第５の発明では、第１流路を流れる空気流と第２流路を流れる空気流との分配量を調整できるので、第１吹出口から吹き出される空気の温度や湿度、あるいは第１吹出口から吹き出される空気の風量を、使用者がより爽快感が得られる条件に調整できる。
【００２４】
第６の発明では、第２吹出口から吹き出される空気を排気するためのダクトを備えているので、気化フィルタおよび熱交換器を通過した高湿の空気を排気できる。
【図面の簡単な説明】
【００２５】
【図１】本発明の第１実施形態に係る冷風扇の斜視図であり、（ａ）は前方から見た図、（ｂ）は後方から見た図である。
【図２】図１に示す冷風扇の一部切欠き斜視断面図である。
【図３】図１に示す冷風扇の空気の流れを示す概略図である。
【図４】本発明の第２実施形態に係る冷風扇を前方から見た斜視図である。
【図５】本発明の第３実施形態に係る冷風扇の空気の流れを示す概略図である。
【図６】本発明の第４実施形態に係る冷風扇を後方から見た斜視図である。
【発明を実施するための形態】
【００２６】
以下、図面を参照しつつ本発明の実施形態について説明する。
【００２７】
以下に説明する冷風扇は、通常、室内で使用される。また通常、室内の窓や出入口を開放し、高湿の空気が吹き出される第２吹出口が窓や出入口側を向くようにして使用される。
【００２８】
［第１実施形態］
［冷風扇１の構成］
本発明の第１実施形態に係る冷風扇１は、図１〜図３に示すように、ケーシング２、送風ファン３（送風手段）、空清フィルタ４、第１流路５、第２流路６、気化ユニット７（気化手段）、及び顕熱交換器８（熱交換器）を備えている。送風ファン３、空清フィルタ４、第１流路５、第２流路６、気化ユニット７、及び顕熱交換器８は、ケーシング２の内部に収容されている。
【００２９】
＜ケーシング２＞
ケーシング２は、図１に示すように、円形の送風部１１と、送風部１１を支持する支持部１２と、土台部１３とを有する。支持部１２の左側面１２Ｌには、空気を吸い込む吸込口２１が形成されている。また、ケーシング２には、吸込口２１から吸い込んだ空気を吹き出す第１吹出口２２および第２吹出口２３が形成されている。第１吹出口２２はケーシング２の前面２Ｆ（より詳しくは、送風部１１の前面１１Ｆ）に形成され、第２吹出口２３はケーシング２の背面２Ｂ（より詳しくは、送風部１１の背面１１Ｂ）に形成されている。なお、ケーシング２の前面２Ｆとは、送風部１１の前面１１Ｆと支持部１２の前面１２Ｆとを指す。また、ケーシング２の背面２Ｂとは、送風部１１の背面１１Ｂと支持部１２の背面１２Ｂとを指す。
【００３０】
ここで、通常、冷風扇１を使用する使用者は、前面２Ｆ側に存在する。そのため、本願においては、前面２Ｆを使用者側と称し、背面２Ｂを使用者と反対側と称する。
【００３１】
＜送風ファン３＞
吸込口２１と空清フィルタ４との間には、送風ファン３（送風手段）が配置されている。送風ファン３には、ファンモータ（図示省略）が接続されており、制御装置（図示省略）の制御によりファンモータが駆動されることで送風ファン３が回転する。
【００３２】
＜空清フィルタ４＞
送風ファン３の下流側には、空気を浄化する空清フィルタ４が配置されている。送風ファン３によって吸込口２１から吸い込まれた空気は、まずこの空清フィルタ４を通過する。その際、空気中の塵埃が除去される。ここで、空清フィルタ４は、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタであり、微細な塵埃を除去することが可能である。
【００３３】
＜第１流路５及び第２流路６＞
空清フィルタ４の下流側には、第１流路５及び第２流路６が形成されている。第１流路５は、吸込口２１と第１吹出口２２とを連通し、送風ファン３によって発生した空気流を第１吹出口２２に導く流路である。第２流路６は、吸込口２１と第２吹出口２３とを連通し、送風ファン３によって発生した空気流を第２吹出口２３に導く流路である。第１流路５と第２流路６は、ケーシング２内に配置された仕切り板などによって区切られており、第１流路５に導かれた空気流と、第２流路６に導かれた空気流は、各吹出口２２、２３から吹き出されるまで互いに混合することがないようになっている。
【００３４】
＜気化ユニット７＞
第２流路６には、水の気化熱により空気を冷却する気化ユニット７（気化手段）が配置されている。この気化ユニット７は、図３に示すように、気化ロータ３１と、貯水タンク３２と、水トレー３３とを備えている。
【００３５】
気化ロータ３１は、第２流路６に導かれた空気流に水を供給する気化フィルタ３４と、気化フィルタ３４に水を掛けて気化フィルタ３４の浸水状態を維持する水掛装置３５とを有する。気化フィルタ３４は、例えば不織布で円板状に成形され、水掛装置３５の内周側に取り付けられている。
【００３６】
水掛装置３５は、複数の水掛部（図示省略）を有する。この水掛部は、内部に水を溜めることが可能なように凹状に形成されており、気化ロータ３１の回転により、各水掛部が順次水トレー３３内に浸水した後上昇し、また、浸水するといった動作を繰り返す。水掛部が浸水することで水掛部内に水が流入し、水掛部が上昇することで水掛部内に溜まった水が気化フィルタ３４に向かって流れる。これにより、気化フィルタ３４に水が供給され、気化フィルタ３４の浸水状態が維持される。
【００３７】
貯水タンク３２は、図１に示すように、ケーシング２の送風部１１の前面１１Ｆに設けられている。この貯水タンク３２は、冷風扇１から着脱可能であり、使用者は貯水タンク３２に水を注入することができる。貯水タンク３２の下部には注水口（図示省略）が設けられており、水トレー３３内の水位の減少により、貯水タンク３２内の水が注水口を介して水トレー３３内に流出する。
【００３８】
水トレー３３は、気化ロータ３１に水を供給するためのものであり、水が貯水されている。なお、図２においては、この水トレー３３を省略して図示している。
【００３９】
＜顕熱交換器８＞
気化フィルタ３４の下流側には、第２流路６を流れ、気化フィルタ３４を通過した空気流と、第１流路５を流れる空気流との間で顕熱の交換を行う顕熱交換器８が配置されている。顕熱交換器８は、複数のチューブ４１を有する。このチューブ４１内を気化フィルタ３４を通過した空気流（第２流路６を流れる空気流）が通過し、チューブ４１の周りを第１流路５を流れる空気流が通過する。なお、複数のチューブ４１は、顕熱交換器８の中心から放射状に配置されている。
【００４０】
［空気の流れ］
次に、図２及び図３を参照しつつ冷風扇１内の空気の流れについて説明する。なお、図２及び図３において、吸込口２１から吸い込まれ、第１流路５を流れて第１吹出口２２から吹き出される空気流を実線の矢印で示し、第２流路６側を流れ第２吹出口２３から吹き出される空気流を点線の矢印で示している。
【００４１】
送風ファン３により、吸込口２１から吸い込まれた空気は、まず空清フィルタ４を通過する。その際、空気中の塵埃が、空清フィルタ４により空気中から除去される。
【００４２】
空清フィルタ４を通過した空気流は、第１流路５に導かれる空気と第２流路６に導かれる空気とに分かれる。なお、第１流路５に導かれる空気と第２流路６に導かれる空気の分配量は１対１である。
【００４３】
第２流路６を流れる空気流は、まず気化ユニット７の気化フィルタ３４を通過する。その際、水の気化熱により第２流路６を流れる空気流は冷却・加湿される。そして、気化フィルタ３４を通過した空気流は、顕熱交換器８のチューブ４１内を通り、第１流路５を流れる空気流との間で顕熱の交換が行われる。顕熱交換器８を通過した空気流は、気化フィルタ３４通過後の空気流に比べて温度が上昇し、湿度がやや低下する。そして、顕熱交換器８を通過した空気流は、第２吹出口２３から吹き出される。
【００４４】
一方、第１流路５を流れる空気流は、顕熱交換器８のチューブ４１の周りを通り、チューブ４１内（第２流路６）を流れる空気流との間で顕熱の交換が行われる。顕熱交換器８を通過した空気流は、第２流路６を流れる空気流との熱交換により冷却され、温度が下がる。また、湿度が僅かに上昇する。但し、湿度の上昇量は、気化フィルタ３４を通過した空気流の湿度の上昇量に比べると十分小さい。
【００４５】
［実施例］
次に、図３を参照しつつ冷風扇１の実施例について説明する。なお、第１流路５に導かれる空気流と第２流路６に導かれる空気流の分配量は１対１とし、送風ファン３の回転数は、６００ｒｐｍとした。
【００４６】
まず、吸込口２１から吸い込まれた室内空気の温度は２７℃、湿度は６０％であった。そして、第２流路６に導かれ、気化フィルタ３４を通過した後の空気流の温度は２５℃に低下し、湿度は８０％に上昇した。その後、顕熱交換器８を通過して第１流路５を流れる空気流と熱交換された空気流の温度は２６℃に上昇し、湿度は７５％まで低下し、この高温高湿（温度２６℃、湿度７５％）の空気が第２吹出口２３から吹き出された。
【００４７】
一方、吸込口２１から吸い込まれた室内空気のうち、第１流路５に導かれ、顕熱交換器８を通過して第２流路６を流れる空気流と熱交換された空気流の温度は、２７℃から２６℃に低下し、湿度は６０％から６３％に僅からながら上昇した。その結果、吸込口２１から吸い込まれた室内空気よりも温度が低く、かつ湿度もほとんど上昇していない空気が第１吹出口２２から吹き出された。
【００４８】
以上より、第２流路６を流れ、気化フィルタ３４を通過した空気流と第１流路５を流れる空気流との間で熱交換を行うことにより、吸込口２１から吸い込まれた空気よりも温度が低く、かつ湿度の上昇を抑えた空気を第１吹出口２２から得られることが分かる。
【００４９】
［本実施形態の冷風扇１の特徴］
本実施形態の冷風扇１には、以下の特徴がある。
【００５０】
この冷風扇１では、第２流路６を流れ、気化ユニット７（気化手段）の気化フィルタ３４を通過した空気流と、第１流路５を流れる空気流との間で熱交換を行う顕熱交換器８（熱交換器）が設けられているので、第１流路５を流れる空気流が、第２流路６を流れ、気化フィルタ３４で水の気化熱により冷却および加湿された空気流と熱交換されて、第１吹出口２２から吹き出される。そのため、吸込口２１から吸い込まれる空気よりも低温で、かつ気化フィルタ３４を通過した空気流よりも湿度が低い空気流を第１吹出口２２から得ることができる。したがって、吸込口２１から吸い込まれる空気よりも低温で、かつ湿度の上昇を抑えた空気を吹き出すことができる。
【００５１】
また、この冷風扇１では、第１吹出口２２がケーシング２の前面２Ｆに設けられているので、吸込口２１から吸い込まれる空気よりも低温で、かつ湿度の上昇を抑えた空気を使用者側に吹き出すことができる。
【００５２】
また、この冷風扇１では、第２吹出口２３がケーシング２の背面２Ｂに設けられているので、気化フィルタ３４および顕熱交換器８を通過した高湿の空気を使用者と反対側に吹き出すことができる。
【００５３】
［第２実施形態］
次に、第２実施形態に係る冷風扇について説明する。第２実施形態に係る冷風扇は、図４に示すように、吸込口２１がケーシング２の前面２Ｆ（より詳しくは、支持部１２の前面１２Ｆ）に形成されている点で第１実施形態と異なる。
【００５４】
［本実施形態の冷風扇の特徴］
本実施形態の冷風扇には、以下の特徴がある。
【００５５】
この冷風扇では、第１吹出口２２と吸込口２１がケーシング２の前面２Ｆに設けられているので、使用者が第１吹出口２２のすぐ前方に存在する場合において、第１吹出口２２から吹き出された空気が使用者に当たってすぐに吸込口２１から吸い込まれ、また第１吹出口２２から吹き出されるという操作が繰り返される。その結果、空気の冷却が進み、より低温の空気を第１吹出口２２から吹き出すことができる。
【００５６】
［第３実施形態］
次に、第３実施形態に係る冷風扇について説明する。第３実施形態に係る冷風扇は、図５に示すように、第１流路５を流れる空気流と第２流路６を流れる空気流との分配量を調整する分配量調整手段９が配置されている点で第１実施形態と異なる。この分配量調整手段９は、第１流路５のうち、顕熱交換器８よりも上流側に配置されている。
【００５７】
分配量調整手段９は、ケーシング２などに固定される固定ピン５１と、固定ピン５１に対して回動可能に取り付けられた羽根５２とを有する。そして、空気流に対して羽根５２の向きを調整することにより、第１流路５を流れる空気流と第２流路６を流れる空気流との分配量が調整できるようになっている。
【００５８】
［本実施形態の冷風扇の特徴］
本実施形態の冷風扇には、以下の特徴がある。
【００５９】
この冷風扇では、第１流路５を流れる空気流と第２流路６を流れる空気流との分配量を調整できるので、例えば、第２流路６を流れる空気流に対する第１流路５を流れる空気流の比率を大きくして、第１吹出口２２からの風量を大きくしたり、第２流路６を流れる空気流に対する第１流路５を流れる空気流の比率を小さくして、第１吹出口２２から吹き出される空気の温度をより低下させることができる。したがって、第１吹出口２２から吹き出される空気の温度や湿度、あるいは第１吹出口２２から吹き出される空気の風量を、使用者がより爽快感が得られる条件に調整できる。
【００６０】
［第４実施形態］
次に、第４実施形態に係る冷風扇について説明する。第４実施形態に係る冷風扇は、図６に示すように、第２吹出口２３にダクト１０が接続されている点で第１実施形態と異なる。
【００６１】
［本実施形態の冷風扇の特徴］
本実施形態の冷風扇には、以下の特徴がある。
【００６２】
この冷風扇では、ダクト１０の末端を室外に配置することにより、気化フィルタ３４および顕熱交換器８を通過した高湿の空気を室外に排気できる。その結果、高湿の空気が吹き出される第２吹出口２３の周りに使用者がいる場合において、その使用者に向かって高湿の空気が吹き出されることを防止できる。
【００６３】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００６４】
［変形例］
上記各実施形態においては、第１吹出口２２がケーシング２の前面２Ｆに形成され、第２吹出口２３がケーシング２の背面２Ｂに形成されているが、各吹出口２２、２３は、ケーシング２のどこに形成されていてもよい。
【００６５】
また、第１実施形態においては、吸込口２１が左側面１２Ｌに形成されているが、吸込口２１は、ケーシング２のどこに形成されていてもよい。
【００６６】
また、第２実施形態においては、第１吹出口２２と吸込口２１がケーシング２の前面２Ｆに設けられているが、第１吹出口２２と吸込口２１が同じ面に設けられていれば、その配置位置は前面２Ｆに限られない。
【００６７】
また、上記各実施形態においては、空清フィルタ４がＨＥＰＡフィルタで構成されているが、空清フィルタ４は、比較的大きな塵埃を除去するプレフィルタであってもよいし、活性炭などを含みホルムアルデヒドや臭い成分などを分解、或いは吸着する脱臭フィルタであってもよいし、その他、空気を浄化するフィルタであってもよい。また、これらフィルタの組み合わせであってもよい。なお、空清フィルタ４はなくてもよい。
【００６８】
また、上記各実施形態においては、備えていないが、ストリーマ放電ユニットを備えていてもよい。ストリーマ放電ユニットとは、ストリーマ放電によって酸化分解力の高い活性種を供給する装置である。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。
【００６９】
また、上記各実施形態においては、気化ロータ３１は、気化フィルタ３４と水掛装置３５とからなるが、気化ロータの構成は上記に限られるものでない。
【００７０】
また、上記各実施形態においては、気化手段として、気化フィルタ３４を有する気化ユニット７を用いているが、気化手段は、これに限られるものではない。例えば、超音波振動子などによって水を噴霧する水噴霧式の気化手段であってもよい。
【００７１】
また、上記各実施形態においては、顕熱の交換を行う顕熱交換器８が用いられているが、熱交換器は顕熱交換器に限られず、様々な熱交換器を用いることができる。
【００７２】
また、上記第３実施形態においては、分配量調整手段９が第１流路５に設けられているが、特に限定されず、第２流路６に設けられていてもよいし、第１流路５および第２流路６よりも上流側に設けられていてもよい。また、分配量調整手段９は、固定ピン５１と羽根５２とで構成したが、その構成はこれに限られるものではない。
【００７３】
また、上記各実施形態においては、第１流路５と第２流路６の上流側に吸込口２１および送風ファン３を一つずつ有し、ケーシング２の内部にて第１流路５と第２流路６とに分かれる構成とした。しかし、第１流路５および第２流路６のそれぞれに別のファンが設けられていてもよい。また、第１流路および第２流路それぞれに吸込口と送風ファンが設けられ、第１流路５および第２流路６が吸込口から吹出口まで完全に分離されていてもよい。
【産業上の利用可能性】
【００７４】
本発明を利用すれば、吸込口から吸い込まれる空気よりも低温で、かつ湿度の上昇を抑えた空気を吹き出すことができる。
【符号の説明】
【００７５】
１  冷風扇
２  ケーシング
２Ｆ  前面
２Ｂ  背面
３  送風ファン（送風手段）
４  空清フィルタ
５  第１流路
６  第２流路
７  気化ユニット（気化手段）
８  顕熱交換器（熱交換器）
９  分配量調整手段
１０  ダクト
２１  吸込口
２２  第１吹出口
２３  第２吹出口
３４  気化フィルタ
【図１】
2014092338.tif 000003
【図２】
2014092338.tif 000004
【図３】
2014092338.tif 000005
【図４】
2014092338.tif 000006
【図５】
2014092338.tif 000007
【図６】
2014092338.tif 000008